(57)【要約】【課題】蒸発器の熱交換効率を高めることができるヒートポンプユニットおよび洗濯乾燥機を提供する。【解決手段】ヒートポンプユニット(７)は、吸気口(７１１)および排気口(７１２)が設けられたケーシング(７０１)と、ケーシング(７０１)内の吸気口(７１１)側に配置されて、吸気口７１１からの空気を冷却する蒸発器(７０２)と、ケーシング(７０１)内に配置され、蒸発器(７０２)よりも排気口(７１２)側に位置し、蒸発器(７０２)で冷却された空気を加熱する凝縮器(７０４)とを備える。吸気口(７１１)と蒸発器(７０２)の間には、吸気口(７１１)からの空気の一部を蒸発器７０２の一端側に流し、かつ、吸気口(７１１)からの空気の他の一部を蒸発器７０２の他端側に流す整風部材(２０１)が設けられている。【選択図】図４
2016214460.tif 000002
【特許請求の範囲】
【請求項１】
吸気口および排気口が設けられたケーシングと、
上記ケーシング内に配置されて、上記吸気口からの空気を冷却する蒸発器と、
上記ケーシング内に配置されて、上記蒸発器よりも上記排気口側に位置し、上記蒸発器で冷却された空気を加熱する凝縮器と
を備え、
上記吸気口と上記蒸発器の間には、上記吸気口からの空気の一部を上記蒸発器の一端側に流し、かつ、上記吸気口からの空気の他の一部を上記蒸発器の他端側に流す整風部材が設けられていることを特徴とするヒートポンプユニット。
【請求項２】
請求項１に記載のヒートポンプユニットにおいて、
上記吸気口から上記蒸発器へ向って流れる空気中の異物を捕獲するヒートポンプユニット用フィルタを備えることを特徴とするヒートポンプユニット。
【請求項３】
請求項２に記載のヒートポンプユニットにおいて、
上記整風部材は、上記ヒートポンプユニット用フィルタが一体に取り付けられた状態で、上記ケーシングに着脱可能であることを特徴とするヒートポンプユニット。
【請求項４】
外箱と、
上記外箱内に配置された水槽と、
上記水槽内に回転可能に配置され、洗濯物を収容する回転槽と、
上記回転槽を回転駆動する駆動装置と、
上記回転槽内から上記水槽外に出た空気を上記回転槽内に戻して循環させるための空気循環経路と、
上記空気循環経路に設けられていると共に、請求項２または３に記載のヒートポンプユニットと、
上記ヒートポンプユニットの上流側に位置するように上記空気循環経路に設けられていると共に、上記空気循環経路を流れる空気中の異物を捕獲する空気循環経路用フィルタと
を備え、
上記ヒートポンプユニット用フィルタの目は、上記空気循環経路用フィルタの目よりも細かいことを特徴とする洗濯乾燥機。
【発明の詳細な説明】
【技術分野】
【０００１】
この発明は、ヒートポンプユニットおよび洗濯乾燥機に関する。
【背景技術】
【０００２】
従来、ヒートポンプユニットとしては、吸気口から吸い込んだ空気を、蒸発器および凝縮器を順次経由させた後、排気口から排気するものがある(例えば特開２０１４−１５０７９９７号公報(特許文献１)参照)。この空気は、蒸発器との熱交換により、低温低湿の空気となった後、凝縮器との熱交換により、高温低湿の空気になって、排気口へ向かって流れるようになっている。
【先行技術文献】
【特許文献】
【０００３】
【特許文献１】特開２０１４−１５０７９９７号公報
【発明の概要】
【発明が解決しようとする課題】
【０００４】
ところで、上記従来のヒートポンプユニットでは、吸気口から吸い込まれた空気は上方から下方に向かって流れた後、向きを変え、水平方向に流れて蒸発器に到達する。このため、上記蒸発器の下端側に偏って空気があたる結果、蒸発器の熱交換効率が低くなってしまうという問題が生じてしまう。
【０００５】
そこで、この発明の課題は、蒸発器の熱交換効率を高めることができるヒートポンプユニットおよび洗濯乾燥機を提供することにある。
【課題を解決するための手段】
【０００６】
上記課題を解決するため、この発明のヒートポンプユニットは、
吸気口および排気口が設けられたケーシングと、
上記ケーシング内に配置されて、上記吸気口からの空気を冷却する蒸発器と、
上記ケーシング内に配置されて、上記蒸発器よりも上記排気口側に位置し、上記蒸発器で冷却された空気を加熱する凝縮器と
を備え、
上記吸気口と上記蒸発器の間には、上記吸気口からの空気の一部を上記蒸発器の一端側に流し、かつ、上記吸気口からの空気の他の一部を上記蒸発器の他端側に流す整風部材が設けられていることを特徴としている。
【０００７】
一実施形態のヒートポンプユニットは、
上記吸気口から上記蒸発器へ向って流れる空気中の異物を捕獲するヒートポンプユニット用フィルタを備える。
【０００８】
一実施形態のヒートポンプユニットでは、
上記整風部材は、上記ヒートポンプユニット用フィルタが一体に取り付けられた状態で、上記ケーシングに着脱可能である。
【０００９】
一実施形態のヒートポンプユニットでは、
上記ヒートポンプユニット用フィルタは上記整風部材の上流側に配置されている。
【００１０】
一実施形態のヒートポンプユニットでは、
上記吸気口から上記ケーシング内に吸い込まれた空気は、第１方向に流れた後、上記第１方向と交差する第２方向に向きを変えて、上記蒸発器へ流れる。
【００１１】
この発明の洗濯乾燥機は、
外箱と、
上記外箱内に配置された水槽と、
上記水槽内に回転可能に配置され、洗濯物を収容する回転槽と、
上記回転槽を回転駆動する駆動装置と、
上記回転槽内から上記水槽外に出た空気を上記回転槽内に戻して循環させるための空気循環経路と、
上記空気循環経路に設けられていると共に、この発明または一実施形態の一項に記載のヒートポンプユニットと
を備えることを特徴としている。
【００１２】
この発明の洗濯乾燥機は、
外箱と、
上記外箱内に配置された水槽と、
上記水槽内に回転可能に配置され、洗濯物を収容する回転槽と、
上記回転槽を回転駆動する駆動装置と、
上記回転槽内から上記水槽外に出た空気を上記回転槽内に戻して循環させるための空気循環経路と、
上記空気循環経路に設けられていると共に、この発明または一実施形態のヒートポンプユニットと、
上記ヒートポンプユニットの上流側に位置するように上記空気循環経路に設けられていると共に、上記空気循環経路を流れる空気中の異物を捕獲する空気循環経路用フィルタと
を備え、
上記ヒートポンプユニット用フィルタの目は、上記空気循環経路用フィルタの目よりも細かいことを特徴としている。
【発明の効果】
【００１３】
この発明のヒートポンプユニットおよび洗濯乾燥機は、上記整風部材によって、蒸発器にあたる空気の偏りを低減できるので、蒸発器の熱交換効率を高めることができる。
【図面の簡単な説明】
【００１４】
【図１】この発明の第１実施形態のドラム式洗濯乾燥機の概略斜視図である。
【図２】上記ドラム式洗濯乾燥機の乾燥機能の概略構成を説明するための模式図である。
【図３】上記第１実施形態のヒートポンプユニットの斜視図である。
【図４】上記ヒートポンプユニットの縦断面図である。
【図５】上記ヒートポンプユニットの横断面図である。
【図６】上記ヒートポンプユニットのケーシング内の空気流を説明するための模式図である。
【図７】上記ケーシング内に整風板がないときの空気流のシミュレーション結果の図である。
【図８】上記ケーシング内に整風板があるときの空気流のシミュレーション結果の図である。
【図９】この発明の第２実施形態のヒートポンプユニットの斜視図である。
【図１０】上記ヒートポンプユニットから整風部材を取り外した状態の斜視図である。
【図１１】上記整風部材およびフィルタの斜視図である。
【発明を実施するための形態】
【００１５】
以下、この発明を図示の実施の形態により詳細に説明する。
【００１６】
〔第１実施形態〕
図１は、この発明の第１実施形態のドラム式洗濯乾燥機を前側の斜め上方から見たときの概略斜視図である。
【００１７】
上記ドラム式洗濯乾燥機は、外郭を成す外箱１を備える。この外箱１は、上面パネル１０１と、操作表示部１０２と、前面パネル１０３と、後面パネル１０４と、一対の側面パネル１０５(一対の側面パネル１０５のうちの一方だけを図示する)と、底台１０６とで構成されている。
【００１８】
上記前面パネル１０３には、洗濯物５が通過する開口部１０７が設けられている。また、前面パネル１０３には扉２１が回動可能に取り付けられており、開口部１０７は扉２１で開閉される。
【００１９】
上記操作表示部１０２は、開口部１０７上に位置するように前面パネル１０３に取り付けられている。すなわち、操作表示部１０２は外箱１の前側上部に位置する。
【００２０】
また、上記操作表示部１０２の側方には、洗剤、漂白剤及び柔軟剤を収容可能な洗濯剤ケース５０が設けられている。
【００２１】
図２は、上記ドラム式洗濯乾燥機の乾燥機能の概略構成を模式的に示す。
【００２２】
上記ドラム式洗濯乾燥機は、外箱１内に配置された水槽２と、この水槽２内に回転可能に配置されて、洗濯物５を収容するドラム３と、このドラム３を回転駆動するモータ４と、このモータ４などを制御する制御装置６０とを備えている。このドラム３の回転軸Ｊは、前側が後側よりも高くなるように、水平方向に対して傾斜している。また、水槽２およびドラム３は、それぞれ、扉２１側に向かって開口しており、扉２１を開くことで、ドラム３内に洗濯物５を入れたり、ドラム３内から洗濯物５を出したりすることが可能である。また、扉２１を閉じることで、水槽２内の気体および液体が前面パネル１０３の開口部１０７を介して外箱１に漏れ出ないようになる。すなわち、扉２１の閉鎖により、水槽２の水密および気密を保つことが可能である。なお、回転軸Ｊは、水平方向に対して略平行であってもよい。また、ドラム３は回転槽の一例である。また、モータ４は駆動装置の一例である。
【００２３】
上記水槽２の上方には、外箱１の上部を形成する上面パネル１０１が配置されている。また、水槽２の前方には、外箱１の前部の大部分を形成する前面パネル１０３が配置されている。
【００２４】
上記ドラム３の周壁部３１には、水槽２とドラム３の間の空間と、ドラム３内の空間との間で、液体および気体の流通を可能にするための複数の貫通孔(図示せず)が形成されている。また、ドラム３の底部３２には水槽２の吸気口２５に連通する複数の空気導入孔(図示せず)が形成されている。
【００２５】
また、上記ドラム式洗濯乾燥機は、ドラム３内の空気を循環させるための空気循環経路２０を備えている。この空気循環経路２０は、第１空気循環ダクト２３、第２空気循環ダクト２４および第３空気循環ダクト２６を有し、乾燥運転時、ドラム３内から水槽２外に出た空気がドラム３内に戻るように、その空気を案内する。
【００２６】
上記第１空気循環ダクト２３は、一端部が水槽２の排気口２２に接続されている一方、他端部がフィルタ収納部４０の吸気口４１に接続されている。このフィルタ収納部４０は、外箱１内の上側空間の後部に配置されており、籠形状のフィルタ３０を着脱可能に収納する。なお、フィルタ３０は空気循環経路用フィルタの一例である。
【００２７】
上記第２空気循環ダクト２４は、一端部がフィルタ収納部４０の排気口４２に接続されている一方、他端部がヒートポンプユニット７の吸気口７１１に接続されている。このヒートポンプユニット７の内部は送風ファンユニット８の内部と連通している。また、ヒートポンプユニット７は、外箱１内の下側空間の後部に位置するように、底台１０６に固定されており、乾燥した高温空気を生成する。
【００２８】
上記第３空気循環ダクト２６は、一端部が送風ファンユニット８の吹出口８１２に接続されている一方、他端部が水槽２の吸気口２５に接続されている。また、送風ファンユニット８はヒートポンプユニット７の下流側に配置されている。
【００２９】
また、上記送風ファンユニット８の駆動により、ドラム３内の空気が空気循環経路２０を介して循環する。このとき、送風ファンユニット８は、ヒートポンプユニット７からの乾燥した高温空気を第３空気循環ダクト２６へ送る。これにより、上記乾燥した加熱空気は、矢印Ｙで示すように、吸気口２５からドラム３の底部３２の上記空気導入孔を介してドラム３内に導入される。
【００３０】
また、上記高温空気は、ドラム３内に収容された洗濯物５から水分を奪って、湿った低温空気となる。この低温空気は、矢印Ｚで示すように、ドラム３の周壁部３１の上記貫通孔からドラム３と水槽２の間の空間に抜けた後、水槽２の排気口２２から、第１空気循環ダクト２３、フィルタ収納部４０および第２空気循環ダクト２４を順次流れて、ヒートポンプユニット７に導入される。このとき、フィルタ３０が低温空気に含まれる糸くずなどを捕獲する。すなわち、上記低温空気から糸くずなどが分離されてフィルタ３０に残る。
【００３１】
図３は、上記ヒートポンプユニット７を斜め上方から見たときの斜視図である。また、図４は、上記ヒートポンプユニット７を鉛直面で切ったときの断面図である。
【００３２】
上記ヒートポンプユニット７は、図３,図４に示すように、ケーシング７０１、蒸発器７０２、圧縮機７０３(図５に示す)、凝縮器７０４および膨張機構７０５(図５に示す)を備えている。この蒸発器７０２、圧縮機７０３、凝縮器７０４および膨張機構７０５は、ケーシング７０１内に配置されている。また、蒸発器７０２、圧縮機７０３、凝縮器７０４および膨張機構７０５は、環状に接続されて冷媒回路を構成する。すなわち、圧縮機７０３で圧縮された冷媒が凝縮器７０４、膨張機構７０５および蒸発器７０２をこの順で流れる。なお、膨張機構７０５としては、例えば、膨張弁、キャピラリチューブなどが用いられる。
【００３３】
上記ケーシング７０１は、例えば耐熱性樹脂からなる。このケーシング７０１は、蒸発器７０２が凝縮器７０４の上流側に位置するように、蒸発器７０２、圧縮機７０３、凝縮器７０４および膨張機構７０５を収容している。また、ケーシング７０１の上流側の部分には吸気口７１１が設けられている。一方、ケーシング７０１の下流側の部分には排気口７１２が設けられている。
【００３４】
また、上記ケーシング７０１の上流側の部分は外部からの空気を蒸発器７０２に案内する。より詳しくは、吸気口７１１からケーシング７０１内に吸い込まれた空気は、下方向に流れた後、第１方向と交差する水平方向に向きを変えて、蒸発器へ流れるようになっている。なお、上記下方向は第１方向の一例である。また、上記水平方向は第２方向の一例である。
【００３５】
上記蒸発器７０２は吸気口７１１からの空気を冷却する。この蒸発器７０２は、図４の紙面に垂直な方向において所定の間隔を空けて配列された複数の薄板形状の伝熱フィン７２１と、この複数の伝熱フィン７２１を貫通すると共に、膨張機構７０５からの冷媒が流れる伝熱管７２２とを有する。吸気口７１１からケーシング７０１内に流入した空気は、伝熱フィン７２１同士の間を通過して凝縮器７０４へ流れる。このとき、上記空気は、伝熱フィン７２１および伝熱管７２２と熱交換することにより、温度が下がり、除湿されるようになっている。ここで、伝熱フィン７２１および伝熱管７２２は金属(例えばアルミニウム)で形成してもよい。
【００３６】
上記凝縮器７０４は、蒸発器７０２よりも排気口７１２側に位置し、蒸発器７０２で冷却された空気を加熱する。この凝縮器７０４は、図４の紙面に垂直な方向において所定の間隔を空けて配列された複数の薄板形状の伝熱フィン７４１,７４２と、この複数の伝熱フィン７４１,７４２を貫通すると共に、圧縮機７０３からの冷媒が流れる伝熱管７４３,７４４とを有する。この伝熱フィン７４１は、伝熱フィン７２１と伝熱フィン７４２の間に配置され、伝熱フィン７２１の幅よりも小さく、かつ、伝熱フィン７４２の幅よりも大きい幅を有している。蒸発器７０２からの空気は、伝熱フィン７４１同士の間で、伝熱フィン７４１および伝熱管７４３と熱交換した後、さらに、伝熱フィン７４２同士の間で、伝熱フィン７４２および伝熱管７４４と熱交換して、温度が上がるようになっている。ここで、伝熱フィン７４１,７４２および伝熱管７４３,７４４は金属(例えばアルミニウム)で形成してもよい。
【００３７】
このように、上記蒸発器７０２では１列の伝熱フィン７２１を設けているのに対して、凝縮器７０４では２列の伝熱フィン７４１,７４２を設けている。
【００３８】
上記送風ファンユニット８は、ケーシング８０１と、このケーシング８０１内に配置された遠心ファン８０２と、この遠心ファン８０２を回転駆動するモータ８０３とを備える。このケーシング８０１の上流側には吸入口８１１が設けられ、この吸入口８１１にはヒートポンプユニット７のケーシング７０１の排気口７１２が接続されている。一方、ケーシング８０１の下流側には吹出口８１２が設けられている。この吹出口８１２から吹き出された空気が第３空気循環ダクト２６によって水槽２に案内される。
【００３９】
また、上記吸気口７１１と蒸発器７０２の間には、整風部材の一例としての整風板２０１が複数設けられている。この複数の整風板２０１,２０１,…は、吸気口７１１からの空気の一部を蒸発器７０２の上下方向の真ん中よりも蒸発器７０２の下端側に流し、かつ、吸気口７１１からの空気の他の一部を蒸発器７０２の上下方向の真ん中よりも蒸発器７０２の上端側に流す。すなわち、空気が複数の整風板２０１,２０１,…を通過することにより、蒸発器７０２の各部に略均等に空気が流れるようになっている。より詳しくは、各整風板２０１は、それぞれ、図中右側(蒸発器７０２側)の端部が図中左側(蒸発器７０２側とは反対側)の端部よりも低くなるように傾斜している。また、複数の整風板２０１,２０１,…は、吸気口７１１から下方向に向かって流れる空気が蒸発器７０２側に流れる向きを変え始める箇所に配置されており、傾斜角が互いに略同じになっている。
【００４０】
また、上記ヒートポンプユニット７の凝縮器７０４と送風ファンユニット８との間には、ＰＴＣ(Positive Temperature Coefficient)ヒータ９が配置されている。このＰＴＣヒータ９は、凝縮器７０４で加熱されて送風ファンユニット８に向かって流れる空気をさらに加熱する。
【００４１】
図５は、上記ヒートポンプユニット７を水平面で切ったときの断面図である。
【００４２】
上記圧縮機７０３はＰＴＣヒータ９近傍に配置されている。この圧縮機７０３とＰＴＣヒータ９の間には、例えば耐熱性樹脂からなる隔壁７１４が設けられている。これにより、凝縮器７０４から送風ファンユニット８へ流れる空気が、圧縮機７０３が配置された空間に流入しないようにしている。
【００４３】
また、上記膨張機構７０５と蒸発器７０２を接続する冷媒配管と、蒸発器７０２と圧縮機７０３を接続する冷媒配管とのそれぞれには、ヒートポンプユニット７の状態を検知するための温度センサ(図示せず)が取り付けられている。これらの温度センサで測定された冷媒温度に応じて、制御装置６０が圧縮機７０３の能力を制御するようになっている。また、制御装置６０は、必要に応じて膨張機構７０５の制御なども行う。
【００４４】
上記構成のドラム式洗濯乾燥機によれば、乾燥運転時、送風ファンユニット８が起動して、ドラム３内の空気が、ドラム３外に出た後、フィルタ３０、ヒートポンプユニット７および送風ファンユニット８を順次通過してドラム３内に戻るように循環する。このとき、吸気口７１１からケーシング７０１内に流入した空気は、複数の整風板２０１,２０１,…により、図６の矢印で示すように流れる。その結果、蒸発器７０２の各部に略均等に空気を当てることができるので、蒸発器７０２の熱交換効率を高めることができる。
【００４５】
また、上記蒸発器７０２の熱交換効率を高めることができるので、省エネ効果を高めることができる。
【００４６】
図７は、上記整風板２０１がケーシング７０１内に設けられていないときの空気流のシミュレーション結果を示している。また、図８は、整風板２０１がケーシング７０１内に設けられているときの空気流のシミュレーション結果を示している。なお、図７,図８において、矢印は風向を表している。
【００４７】
図７に示すように、上記整風板２０１がケーシング７０１内に設けられていないと、ケーシング７０１内おいて蒸発器７０２が設置される場所では、空気が下側に偏って流れてしまう。一方、図８に示すように、上記整風板２０１がケーシング７０１内に設けられていると、ケーシング７０１内おいて蒸発器７０２が設置される場所では、下側への空気の偏りが図７に比べて減少している。
【００４８】
このように、上記場所よりも上流側に整風板２０１を配置することは、蒸発器７０２にあたる空気の偏りを解消する手段として有効であることが判る。
【００４９】
また、上記場所よりも上流側に整風板２０１を配置することにより、吸気口７１１から蒸発器７０２までの空気流路において空気が偏って流れるのを防げることも判る。
【００５０】
上記第１実施形態では、空気循環経路２０に、籠形状のフィルタ３０を設けていたが、例えば板形状のフィルタを設けてもよい。
【００５１】
上記第１実施形態では、整風板２０１は、ケーシング７０１内に複数設けられていたが、単数設けられるようにしてもよい。
【００５２】
上記第１実施形態では、整風板２０１は、鉛直面で切った断面の形状が直線状であったが、曲線状になるようにしてもよい。
【００５３】
上記第１実施形態では、水平方向に対する複数の整風板２０１,２０１,…の傾斜角は、互いに略同じになっていたが、互いに同じにしてもよいし、互いに大きく異なるようにしてもよい。
【００５４】
上記第１実施形態において、整風板２０１は、ケーシング７０１と同様に例えば耐熱性樹脂で形成してもよいし、金属などで形成してもよい。
【００５５】
上記第１実施形態において、ケーシング７０１への整風板２０１の固定は、例えば、接着剤で行ってもよいし、ケーシング７０１内に設けた凹部に嵌合させるなどして行ってもよい。
【００５６】
〔第２実施形態〕
図９は、この発明の第２実施形態のヒートポンプユニット２００７を斜め上方から見たときの斜視図である。また、図１０は、ヒートポンプユニット２００７から整風部材２２０１を取り外した状態を斜め上方から見たときの斜視図である。なお、図９,１０において、上記第１実施形態の構成部と同一構成部は、上記第１実施形態の構成部の参照番号と同一参照番号を付している。また、以下の説明においても、上記第１実施形態の構成部と同一構成部は、上記第１実施形態の構成部の参照番号と同一参照番号を付している。
【００５７】
上記ヒートポンプユニット２００７は、図９,図１０に示すように、上記第１実施形態のケーシング７０１とは形状が異なるケーシング２７０１と、このケーシング２７０１に着脱可能な整風部材を２２０１と、この整風部材２２０１に一体に取り付け可能なフィルタ２３０１と備えるが、ＰＣＴヒータ９を備えていない。なお、フィルタ２３０１はヒートポンプユニット用フィルタの一例である。
【００５８】
上記ケーシング２７０１内には、上記第１実施形態と同様に、蒸発器７０２、圧縮機７０３、凝縮器７０４および膨張機構７０５が設置されている。また、ケーシング２７０１において吸気口７１１から蒸発器７０２までの空気流路を形成する部分には、後側に開口する開口部２７１３が設けられている。
【００５９】
図１１は、上記整風部材２２０１およびフィルタ２３０１を斜め上方から見た斜視図である。
【００６０】
上記整風部材２２０１は、上面視形状が略Ｃの字の形状を呈する枠部２２０２と、この枠部２２０２の内側に配置された複数の板部２２０３,２２０３,…と、この板部２２０３の一端部を支持する第１支持部２２０４と、板部２２０３の他端部を支持する第２支持部２２０５とを有している。この枠部２２０２のうち、ケーシング７０１外に露出する部分には第１,第２ねじ止め部２２０６,２２０７が設けられている。ケーシング７０１に整風部材２２０１を一体に取り付ける場合、開口部２７１３からケーシング７０１内に整風部材２２０１の大部分を挿入した後、第１,第２ねじ止め部２２０６,２２０７のネジ穴２２０８,２２０９にネジ(図示せず)を挿通して締め付ける。これにより、複数の板部２２０３,２２０３,…は、吸気口７１１と蒸発器７０２の間に配置されて、蒸発器７０２の各部に略均等に空気を流せるようになる。このとき、整風部材２２０１にフィルタ２３０１を一体に取り付けていれば、フィルタ２３０１は板部２２０３よりも上流側に配置される。
【００６１】
上記フィルタ２３０１は、枠部２３０２と、この枠部２３０２の内側に設けられた網部２３０３とを有している。この枠部２３０２にはネジ穴(図示せず)が設けられており、このネジ穴に挿通したネジ(図示せず)を締め付けることにより、整風部材２２０１にフィルタ２３０１が一体に取り付けられる。
【００６２】
また、上記整風部材２２０１は、フィルタ２３０１が一体に取り付けられた状態で、ケーシング２７０１に着脱可能である。
【００６３】
上記構成のドラム式洗濯乾燥機によれば、吸気口７１１と蒸発器７０２の間に複数の板部２２０３,２２０３,…を配置することにより、第１実施形態と同様の作用効果が得られる。
【００６４】
また、上記吸気口７１１から蒸発器７０２へ向って流れる空気が異物(例えば糸屑)を含んでいる場合、この異物は、蒸発器７０２に到達する前に、フィルタ２３０１に捕獲される。したがって、上記異物が蒸発器７０２に付着することによる熱交換面積の低減を防ぐことができる。
【００６５】
また、上記複数の板部２２０３,２２０３,…の配置によって、板部２２０３の周辺において空気が偏って流れるのを防ぐことができるので、フィルタ２３０１に空気を万遍なくあてることができる。その結果、フィルタ２３０１の異物の除去効率を高めることができる。
【００６６】
また、上記整風部材２２０１は、フィルタ２３０１が一体に取り付けられた状態で、ケーシング２７０１に着脱可能であるので、ケーシング２７０１に対する整風部材２２０１およびフィルタ２３０１の着脱を一度に行うことができる。したがって、整風部材２２０１およびフィルタ２３０１のメンテナンス性は良好である。
【００６７】
上記第２実施形態では、フィルタ２３０１は、板部２２０３の上流側に配置されていたが、板部２２０３の下流側に配置されるようにしてもよい。このようにしても、フィルタ２３０１に空気を万遍なくあてる効果は得られる。
【００６８】
〔第３実施形態〕
この発明の第３実施形態のドラム式洗濯乾燥機では、フィルタ２３０１はフィルタ３０よりも目が細かくなっている。これにより、フィルタ３０で捕獲できなかった異物をフィルタ２３０１によって捕獲することができる。したがって、上記異物が空気循環経路２０を流れてドラム３内に入って洗濯物５に付着するのを防ぐことができる。
【００６９】
〔第４実施形態〕
この発明の第４実施形態のヒートポンプユニットでは、ケーシング２７０１の開口部２７１３の周縁部の全部、または、整風部材２２０１の枠部の後側の周縁部に、例えばゴム製のパッキンが取り付けられている。これにより、吸気口７１１からケーシング７０１内に吸い込まれた空気が、蒸発器７０２に到達する前に、開口部２７１３からケーシング７０１外に漏れ出るのを防ぐことができる。
【００７０】
上記第１〜第４実施形態では、この発明の一実施形態のヒートポンプユニットを、ドラム式洗濯乾燥機に適用した場合について説明したが、他の洗濯乾燥機(例えば縦型乾燥洗濯機)に適用してもよい。
【００７１】
この発明の具体的な実施形態について説明したが、この発明は第１〜第４実施形態に限定されるものではなく、この発明の範囲内で種々変更して実施することができる。例えば、第１〜第４実施形態で記載した内容を適宜組み合わせてもよく、また、適宜選択、置換または削除してもよいのは、勿論である。
【００７２】
すなわち、この発明および実施形態を纏めると、次のようになる。
【００７３】
この発明のヒートポンプユニット７,２００７は、
吸気口７１１および排気口７１２が設けられたケーシング７０１,２７０１と、
上記ケーシング７０１,２７０１内に配置されて、上記吸気口７１１からの空気を冷却する蒸発器７０２と、
上記ケーシング７０１,２７０１内に配置され、上記蒸発器７０２よりも上記排気口７１２側に位置し、上記蒸発器７０２で冷却された空気を加熱する凝縮器７０４と
を備え、
上記吸気口７１１と上記蒸発器７０２の間には、上記吸気口７１１からの空気の一部を上記蒸発器７０２の一端側に流し、かつ、上記吸気口７１１からの空気の他の一部を上記蒸発器７０２の他端側に流す整風部材２０１,２２０１が設けられていることを特徴としている。
【００７４】
上記構成によれば、上記吸気口７１１と蒸発器７０２の間に整風部材２０１,２２０１を設けることにより、吸気口７１１からの空気の一部が蒸発器７０２の一端側に流れると共に、吸気口７１１からの空気の他の一部が蒸発器７０２の他端側に流れる。したがって、上記蒸発器７０２にあたる空気の偏りを低減できるので、蒸発器７０２の熱交換効率を高めることができる。
【００７５】
一実施形態のヒートポンプユニット２００７は、
上記吸気口７１１から上記蒸発器７０２へ向って流れる空気中の異物を捕獲するヒートポンプユニット用フィルタ２３０１を備える。
【００７６】
上記実施形態によれば、上記吸気口７１１から蒸発器７０２へ向って流れる空気が異物を含んでいる場合、この異物は、蒸発器７０２に到達する前に、ヒートポンプユニット用フィルタ２３０１に捕獲される。したがって、上記異物が蒸発器７０２に付着することによる熱交換面積の低減を防ぐことができる。
【００７７】
また、上記吸気口７１１と蒸発器７０２の間に整風部材２２０１を設けることにより、その間の空気流路において空気が偏って流れるのを防ぐことができる。したがって、上記フィルタに空気を万遍なくあてることができるので、異物の除去効率を高めることができる。
【００７８】
一実施形態のヒートポンプユニット２００７では、
上記整風部材２２０１は、上記ヒートポンプユニット用フィルタ２３０１が一体に取り付けられた状態で、上記ケーシング２７０１に着脱可能である。
【００７９】
上記実施形態によれば、上記整風部材２２０１にヒートポンプユニット用フィルタ２３０１を一体に取り付ければ、ケーシング２７０１に対する整風部材２２０１およびヒートポンプユニット用フィルタ２３０１の着脱を一度に行うことができる。したがって、上記整風部材２２０１およびヒートポンプユニット用フィルタ２３０１のメンテナンスはやり易い。
【００８０】
一実施形態のヒートポンプユニット７,２００７では、
上記吸気口７１１から上記ケーシング７０１,２７０１内に吸い込まれた空気は、第１方向に流れた後、上記第１方向と交差する第２方向に向きを変えて、上記蒸発器７０２へ流れる。
【００８１】
上記実施形態によれば、上記第１方向に流れる空気が上記第２方向に向きを変えて蒸発器７０２に向かっても、整風部材２０１,２２０１によって、吸気口７１１からの空気の一部が蒸発器７０２の一端側に流すと共に、かつ、吸気口７１１からの空気の他の一部を蒸発器７０２の他端側に流すことができる。
【００８２】
この発明の洗濯乾燥機は、
外箱１と、
上記外箱１内に配置された水槽２と、
上記水槽２内に回転可能に配置され、洗濯物５を収容する回転槽３と、
上記回転槽３を回転駆動する駆動装置４と、
上記回転槽３内から上記水槽２外に出た空気を上記回転槽３内に戻して循環させるための空気循環経路２０と、
上記空気循環経路２０に設けられていると共に、この発明または一実施形態の一項に記載のヒートポンプユニット７,２００７と
を備えることを特徴としている。
【００８３】
上記構成によれば、上記整風部材２０１,２２０１が吸気口７１１と蒸発器７０２の間に設けられていることにより、吸気口７１１からの空気の一部が蒸発器７０２の一端側に流れると共に、吸気口７１１からの空気の他の一部が蒸発器７０２の他端側に流れる。したがって、上記蒸発器７０２にあたる空気の偏りを低減できるので、蒸発器７０２の熱交換効率を高めることができる。
【００８４】
また、上記蒸発器７０２の熱交換効率を高めることができるので、省エネ効果を高めることができる。
【００８５】
この発明の洗濯乾燥機は、
外箱１と、
上記外箱１内に配置された水槽２と、
上記水槽２内に回転可能に配置され、洗濯物５を収容する回転槽３と、
上記回転槽３を回転駆動する駆動装置４と、
上記回転槽３内から上記水槽２外に出た空気を上記回転槽３内に戻して循環させるための空気循環経路２０と、
上記空気循環経路２０に設けられていると共に、この発明または一実施形態のヒートポンプユニット２００７と、
上記ヒートポンプユニット２００７の上流側に位置するように上記空気循環経路２０に設けられていると共に、上記空気循環経路２０を流れる空気中の異物を捕獲する空気循環経路用フィルタ３０と
を備え、
上記ヒートポンプユニット用フィルタ２３０１の目は、上記空気循環経路用フィルタ３０の目よりも細かいことを特徴としている。
【００８６】
上記構成によれば、上記整風部材２２０１が吸気口７１１と蒸発器７０２の間に設けられていることにより、吸気口７１１からの空気の一部が蒸発器７０２の一端側に流れると共に、吸気口７１１からの空気の他の一部が蒸発器７０２の他端側に流れる。したがって、上記蒸発器７０２にあたる空気の偏りを低減できるので、蒸発器７０２の熱交換効率を高めることができる。
【００８７】
また、上記蒸発器７０２の熱交換効率を高めることができるので、省エネ効果を高めることができる。
【００８８】
また、上記ヒートポンプユニット用フィルタ２３０１は空気循環経路用フィルタ３０に比べて目が細かいので、空気循環経路用フィルタ３０で捕獲できなかった異物をヒートポンプユニット用フィルタ２３０１によって捕獲することができる。したがって、上記異物が空気循環経路２０を流れて回転槽３内に入って洗濯物５に付着するのを防ぐことができる。
【符号の説明】
【００８９】
１  外箱
２  水槽
３  ドラム
４  モータ
５  洗濯物
７,２００７  ヒートポンプユニット
８  送風ファンユニット
２０  空気循環経路
２３  第１空気循環ダクト
２４  第２空気循環ダクト
２６  第３空気循環ダクト
３０,２３０１  フィルタ
２０１  整風板
７０１,２７０１  ケーシング
７０２  蒸発器
７０３  圧縮機
７０４  凝縮器
７０５  膨張機構
７１１  吸気口
７１２  排気口
２２０１  整風部材
２７１３  開口部
【図１】
2016214460.tif 000003
【図２】
2016214460.tif 000004
【図３】
2016214460.tif 000005
【図４】
2016214460.tif 000006
【図５】
2016214460.tif 000007
【図６】
2016214460.tif 000008
【図７】
2016214460.tif 000009
【図８】
2016214460.tif 000010
【図９】
2016214460.tif 000011
【図１０】
2016214460.tif 000012
【図１１】
2016214460.tif 000013